(57)【特許請求の範囲】
【請求項１】
撮像用の光学系を構成するレンズ鏡筒において、
前記レンズ鏡筒に装着された補正機構が備える、撮影光学系の一部を構成する変位光学部材を光軸に対して変位させるよう駆動する変位光学部材駆動手段と、
前記レンズ鏡筒に装着された第１の光量規制手段を駆動する第１の光量規制駆動源と、
前記レンズ鏡筒に装着された第２の光量規制手段を駆動する第２の光量規制駆動源と、
前記変位光学部材駆動手段から棒状に延出するよう植設された、変位光学部材駆動手段用スタッドと、
前記第１の光量規制駆動源から棒状に延出するよう植設された、第１の光量規制駆動源用スタッドと、
前記第２の光量規制駆動源から棒状に延出するよう植設された、第２の光量規制駆動源用スタッドと、
前記変位光学部材駆動手段用スタッドと、前記第１の光量規制駆動源用スタッドと、前記第２の光量規制駆動源用スタッドとが、延長方向が同方向となる状態で各々対応する接続箇所に電気的に接続される回路基板と、
少なくとも前記第１の光量規制駆動源と前記第２の光量規制駆動源とが取り付けられた前記回路基板を平面的に載置して、仮留め手段により仮留め保持してユニット化可能に構成された剛性材製の保持部材と、
前記保持部材に、前記回路基板及び前記第１及び第２の光量規制駆動源が取り付けられてユニット化されたものが組み込まれる前記レンズ鏡筒の基台と、
を有することを特徴とするレンズ鏡筒。
【請求項２】
請求項１記載のレンズ鏡筒を備えたことを特徴とする撮像装置。
【発明の詳細な説明】
【技術分野】
【０００１】
本発明は、シャッタ機構、絞り機構、振れ補正機構を有するレンズ鏡筒及びレンズ鏡筒を備えた撮像装置に関する。
【背景技術】
【０００２】
一般に、カメラや双眼鏡等の撮像装置を手持ちで使用する際に、手振れによる像振れを防止するための振れ補正機能を備えた撮像装置が用いられている。
【０００３】
このような撮像装置の振れ補正機能は、撮像装置の振れ状況を振動検出手段によって検出した結果に応じて、光学的に振れをキャンセルする振れ補正装置により手振れによる像振れを防止する、振れ補正を行う。
【０００４】
このような振れ補正装置には、補正光学系を揺動するタイプのものがある。この補正光学系を揺動する振れ補正装置では、撮影レンズ系の一部を構成する補正レンズを主光学系の光軸に対して直交する面内において振れを吸収する方向に移動させて振れによる結像位置のずれを補正し、像振れを解消する。
【０００５】
この補正光学系を揺動する振れ補正装置では、補正レンズが重いと、補正レンズを動かす駆動力が大きくなり、防振の駆動部が大きくなってしまうので、光束が絞られた位置に補正レンズを配置することが望ましい。
【０００６】
また、静止画を撮影する撮像装置は、例えば、マグネットとヨークからなる回転機構を利用してアームを回動させて、シャッタ羽根を駆動するシャッタ機構を備えている。このようなシャッタ機構では、シャッタ羽根を撮影光束の絞られた位置に配置しないとレンズ鏡筒の外形が大きくなってしまうので、光束が絞られた位置にシャッタ羽根を配置することが望ましい。
【０００７】
さらに、撮像装置の撮像光学系では、光量調節の為の光学絞り、ＮＤフィルタ（減光フィルタ）等を光束が絞られた位置に配置することが望ましい。
【０００８】
このため、従来の撮像装置では、手振れ補正機構、シャッタ機構及びＮＤフィルタ機構を一体的に構成し、撮影レンズの小型化、高機能化を図るものが提案されている。
【０００９】
この従来の撮像装置では、撮影レンズの小型化を図るため、手振れ補正機構、シャッタ機構及びＮＤフィルタ機構のそれぞれのアクチュエータをベース部材の同一面に配置してユニット化している。
【００１０】
このユニットは、次の手順によって組立てる。この組立手順では、まず、ベース部材に、手振れ補正機構のアクチュエータを成すコイルボビンを接着固定する。この手振れ補正機構のコイルボビンには、コイルに接続された金属スタッドが植設されている。このコイルボビンは、金属スタッドが光軸方向に延出する状態で、ベース部材に設置される。次に、このベース部材には、補正光学レンズホルダを引っ張りバネを用いて移動可能に装着する。
【００１１】
次の組み立て工程では、補正光学レンズホルダの変位を検出するためのセンサを設置した振れ補正フレキシブルプリント基板（ＦＰＣ）が圧入されたセンサホルダをベース部材に取り付ける。そして、この工程では、手振れ補正機構のコイルボビンに植設されている光軸方向に延出する金属スタッドと、光軸に直交する平面方向に配置された振れ補正ＦＰＣとを、半田付けにより接続する。
【００１２】
次の組み立て工程では、シャッタ機構を駆動するアクチュエータと、ＮＤフィルタ機構を駆動するアクチュエータとをベース部材に載置する。
【００１３】
これらのアクチェータには、各々のコイルと接続した各金属スタッドが、これらのアクチェータを撮像装置に組み付けたときに、光軸と直交する方向に延出するように植設されている。
【００１４】
各アクチェータは、各々の金属スタッドが一つの振れ補正ＦＰＣに接続固定されて一体化されている。よって、各アクチュエータ専用に２枚のＦＰＣを１枚のＦＰＣにまとめる構成となっている。
【００１５】
また、このユニットでは、各アクチュエータがベース部材に組み込まれる前に、各アクチュエータの金属スタッドとＦＰＣとが半田付けにより接続されている。よって、このユニットでは、各アクチュエータを組み込んだ後に半田付けする場合に必要な作業空間を確保する必要が無くベース部材の小型化、ひいては撮影レンズの小型化を実現することができる（例えば、特許文献１参照）。
【特許文献１】特開２００７−２１９３３８
【発明の開示】
【発明が解決しようとする課題】
【００１６】
しかしながら前述のような手振れ補正機構、シャッタ機構及びＮＤフィルタ機構ユニット化した構成では、このユニットの組み立て工程の作業性に問題があった。それは、このユニットでは、シャッタ機構及びＮＤフィルタ機構のアクチュエータの金属スタッドの延長方向と、手振れ補正機構の金属スタッドの延長方向が、組立後において直交する関係となる。
【００１７】
このため、このユニットの組み立て作業では、ＦＰＣを各アクチェータの近くで直角に屈曲してベース部材に組み付けることになる。このように屈曲されたＦＰＣは、その弾性によって元の延伸状態に戻ろうとする性質がある。このため、アクチュエータ２０９，２１０は、屈曲されたＦＰＣの弾性復帰力によって組み込み位置からずれてしまい、ベース部材ベース２０１への組み込み作業が困難になるという問題があった。
【００１８】
特にアクチュエータは、その底面に設けたダボを用いてベース部材に位置決めする構造となっている。このため、アクチェータの位置がベース部材から大きくずれた場合には、アクチェータのダボをベース部材の対応する穴に挿入することができなくなり、アクチュエータをベース部材に位置決めできなくなってしまう。
【００１９】
また、このユニットの組み立て作業では、ベース部材にセンサホルダを組み付け、次に、シャッタ機構のアクチュエータとＮＤフィルタ機構のアクチュエータとを順々に組み付けなくてはならない。このため、このユニットの組み立て作業は、作業工程が多くなり組み立て効率が悪かった。
【００２０】
本発明の目的は、撮像用の光学系を容易な作業で効率良く組み立てられるように構成したレンズ鏡筒及びレンズ鏡筒を備えた撮像装置を提供することにある。
【課題を解決するための手段】
【００２１】
上記目的を達成するために、本発明のレンズ鏡筒は、撮像用の光学系を構成するレンズ鏡筒において、前記レンズ鏡筒に装着された補正機構が備える、撮影光学系の一部を構成する変位光学部材を光軸に対して変位させるよう駆動する変位光学部材駆動手段と、前記レンズ鏡筒に装着された第１の光量規制手段を駆動する第１の光量規制駆動源と、前記レンズ鏡筒に装着された第２の光量規制手段を駆動する第２の光量規制駆動源と、前記変位光学部材駆動手段から棒状に延出するよう植設された、変位光学部材駆動手段用スタッドと、前記第１の光量規制駆動源から棒状に延出するよう植設された、第１の光量規制駆動源用スタッドと、前記第２の光量規制駆動源から棒状に延出するよう植設された、第２の光量規制駆動源用スタッドと、前記変位光学部材駆動手段用スタッドと、前記第１の光量規制駆動源用スタッドと、前記第２の光量規制駆動源用スタッドとが、延長方向が同方向となる状態で各々対応する接続箇所に電気的に接続される回路基板と、少なくとも前記第１の光量規制駆動源と前記第２の光量規制駆動源とが取り付けられた前記回路基板を平面的に載置して、仮留め手段により仮留め保持してユニット化可能に構成された剛性材製の保持部材と、前記保持部材に、前記回路基板及び前記第１及び第２の光量規制駆動源が取り付けられてユニット化されたものが組み込まれる前記レンズ鏡筒の基台と、を有することを特徴とする。
【発明の効果】
【００２３】
本発明の撮像装置によれば、フレキシブル基板が接続された光量規制駆動源を仮留め手段によって、剛性材製の保持部材に一体的に取り付けて、全体をユニット部品にする。このユニット部品にしたものは、レンズ鏡筒の基台に一度にまとめて組み付けることができるので、組み込みの工数を減らし、組み立て効率を向上させる効果がある。また光量規制駆動源は、保持部材に一体的に保持される形になるため、フレキシブル基板の可撓性によって光量規制駆動源が傾斜することを防ぐことができる。よって、組み立ての時に光量規制駆動源を使用状態の姿勢に保持する手間がなくなり、作業性を向上させることができるという効果がある。
【発明を実施するための最良の形態】
【００２４】
〔第１実施の形態〕
以下、本発明の第１実施の形態について、図１乃至図７を参照しながら説明する。図１は、本第１実施の形態に係わるデジタルカメラ等の撮像装置における、手振れ補正機構、シャッタ機構及びＮＤフィルタ機構が設置されるレンズ鏡筒部分を取り出して示す分解斜視図である。
【００２５】
図１に示す光学撮像装置としてのレンズ鏡筒は、第１のレンズ群を構成する光学レンズ１、第２のレンズ群を構成する光学レンズ２及び第３のレンズ群を構成する光学レンズ３を備える。
【００２６】
このレンズ鏡筒の撮像光学系では、第１群、第２群の光学レンズ１、２が倍率変化及び像面補正を司り、第３群の光学レンズ３が焦点調節を行うフォーカスレンズである。
【００２７】
このレンズ鏡筒における１群鏡筒１０は、第１群のレンズ１を保持する１群ホルダ１４の全面を覆う化粧板１１と、撮影光路を覆う位置と待避位置との間で開閉するレンズバリア１２とを備える。このレンズバリア１２は、駆動リング１３によって駆動されるよう構成されている。駆動リング１３から光軸方向に一体的に延伸しているアーム１３ａを後述するＣＣＤホルダの駆動スロープと摺接させることによって、駆動リング１３は光軸を中心に回動操作されるように構成されている。
【００２８】
この１群鏡筒１０は、前述の第１群光学レンズ１のホルダ１４、レンズバリア１２と駆動リング１３との間を互いに引き寄せるように付勢するよう張架されたバリアスプリング１５を備える。さらに、この１群鏡筒１０は、第１群光学レンズ１のホルダ１４に圧入固定されていて、後述の移動カム環４のカム溝４ａと勘合するフォロワピン１６を備える。
【００２９】
このレンズ鏡筒における第２のレンズ群を保持する２群鏡筒２０は、後述するがシャッタユニット（シャッタ機構）、絞りユニット（ＮＤフィルタ機構としての光量絞り機構）、振れ補正機構（振れ補正機構）を備える。この２群鏡筒２０には、２本の固定フォロワピン２０ａが一体的に設けられている。さらに、この２群鏡筒２０には、２群鏡筒２０に対して可動であり、光軸から離間する方向に不図示のスプリングによって押圧されている可動フォロワピン２０ｂが装着されている。なお、２群ユニットの詳細な構成は後述する。
【００３０】
また、このレンズ鏡筒は、第３のレンズ群３を保持する３群鏡筒３１と、３群鏡筒３１を保持するＣＣＤホルダ７とを備える。このＣＣＤホルダ７には、ガイドバー３２の一端を固定して設置する。このガイドバー３２は、３群鏡筒３１を摺動可能に保持する。このＣＣＤホルダ７には、バリア駆動スロープ７ａが一体に構成されている。
【００３１】
このレンズ鏡筒は、３群鏡筒３１を光軸方向に移動させるための送りネジ３３を備える。この送りネジ３３の後端部には、図示しないギアを固定する。この送りネジ３３には、送りナット３４を螺合させる。また、３群鏡筒３１には、片寄せする引っ張りスプリング３５を張架する。
【００３２】
このレンズ鏡筒は、３群鏡筒３１を駆動する駆動源となるフォーカスモータ３６と、このフォーカスモータ３６の回転を送りネジ３３に伝達する伝達ギア３７と、この伝達ギア３７を保持するギアカバー３８とを備える。
【００３３】
このレンズ鏡筒は、撮像用の光学系により結像された像を電気信号に変換する撮像素子としてのＣＣＤ４１を備える。このＣＣＤ４１は、ＣＣＤプレート４２によって保持されるよう構成されている。ＣＣＤプレート４２は、ＣＣＤスプリング４３によってＣＣＤホルダ７から離間する方向に押圧されるよう構成されている。このＣＣＤプレート４２は、ＣＣＤ調整ビス４４によって光軸方向の位置を調節可能に構成されている。
【００３４】
このレンズ鏡筒は、ローパスフィルタ４５と、このローパスフィルタ４５とＣＣＤプレート４２の間を塞ぎゴミがＣＣＤ周囲に入り込む事を防ぐ防塵ゴム４６とを備える。
【００３５】
このレンズ鏡筒は、１群鏡筒１０及び２群鏡筒２０を光軸方向に移動させるズーム駆動系の駆動源である所のズームモータ５１を備える。このズームモータ５１の回転軸には、ウォームギア５２を直結する。さらに、このウォームギア５２には、その回転を順次伝達するズームギア列５３を接続する。
【００３６】
このレンズ鏡筒は、１群鏡筒１０及び２群鏡筒２０を保持する移動カム環４を備える。移動カム環４の内周面には、１群鏡筒１０を保持するカム溝４ａ及び２群鏡筒２０を保持するカム溝４ｂを形成する。移動カム環４の後端部外周には、ズームギア列５３と噛み合うギア４ｃを設置する。さらに、移動カム環４の後端部外周には後述する固定筒６のカム溝６ａと勘合するフォロワピン４ｄを一体的に設ける。
【００３７】
このレンズ鏡筒は、１群鏡筒１０及び２群鏡筒２０の回転を規制する直進ガイド環５を備える。この直進ガイド環５の側面には、１群鏡筒１０を直進ガイドするガイド溝５ａと２群鏡筒２０を直進ガイドするガイド溝５ｂが設けられている。また直進ガイド環５には、前端部外周に突起５ｃ、後端部に鍔部５ｄを設置することにより、移動カム環４に対する抜け防止構造が構成されている。
【００３８】
この直進ガイド環５の鍔部には突起５ｅを設け、後述の固定筒６内面にある不図示の直進溝と嵌合させることにより、直進ガイド環５が光軸方向にのみ移動可能となるよう構成されている。
【００３９】
このレンズ鏡筒は、前述のように移動カム環４を移動可能に保持するための固定筒６を備える。固定筒６の内周面には、移動カム環４の移動動作をガイドするためのカム溝６ａが設けられている。
【００４０】
このレンズ鏡筒では、レンズ鏡筒のズームモータ５１とフォーカスモータ３６に電力を供給するフレキシブルプリント基板（以降、鏡筒ＦＰＣと称する）が設けられている。図１５に示す６２は、鏡筒ＦＰＣの紙面裏面側に実装されているフォトインタラプタを示している。このフォトインタラプタ６２は、ウォームギア５２に一体的に構成されたプロペラの回転を、これも不図示のもう一つのフォトインタラプタと協同して検出するよう構成されている。
【００４１】
次に、上述のように構成された撮像装置のレンズ鏡筒部分における動作について説明する。まずズームの駆動について説明する。
【００４２】
この撮像装置のレンズ鏡筒部分では、ズームモータ５１を回動すると、ウォームギア５２及びズームギア列５３を介して移動カム環４のギア４ｃに駆動力が伝達される。
【００４３】
この撮像装置のレンズ鏡筒部分では、移動カム環４が回転するとフォロワ４ｄがカム溝６ａにガイドされることにより、１群鏡筒１０と２群鏡筒２０１が光軸方向に移動する。これは、移動カム環４の内側には１群鏡筒１０と２群鏡筒２０がそれぞれカム溝４ａ及び４ｂに吊られている状態である。
【００４４】
さらに、固定筒６によって回転を規制されている直進ガイド環５のガイド溝５ａ及び５ｂによって１群鏡筒１０と２群鏡筒２０は回転が規制されるので、１群鏡筒１０と２群鏡筒２０は、光軸方向に移動する。よって、この撮像装置のレンズ鏡筒部分では、ズームモータ５１を所望の位置で停止させることにより、１群レンズと２群レンズの位置によってズーム倍率が決定される。
【００４５】
また、この撮像装置のレンズ鏡筒部分では、フォトインタラプタ６２と不図示のもう一つのフォトインタラプタによってズーム位置の検出を行う。このズーム位置の検出は、不図示のフォトインタラプタで直進ガイド環の光軸方向のリセット位置を検出して基準位置とする。そして、フォトインタラプタ６２と不図示のもう一つのフォトインタラプタによって回転方向及び回転パルスを検出して基準位置からの相対位置を演算する事によって行なう。
【００４６】
次に、撮像装置のレンズ鏡筒部分におけるフォーカスレンズの駆動について説明する。
【００４７】
フォーカスレンズを駆動する場合には、フォーカスモータ３６を回転させる。するとフォーカスモータ３６の回転駆動力は、不図示のピニオンギア及び伝達ギア３７を介して送りネジ３３のギアに伝達され、送りネジが回転する。
【００４８】
ここで、３群鏡筒３１は、引っ張りスプリング３５によって送りネジ３３と螺合しているナット３４に片寄せされており、ナット３４は３群鏡筒３１によって回転方向を規制されている状態となっている。
【００４９】
このため送りネジ３３が回転してもナット３４が回転出来ず送りねじ軸方向にのみ移動可能なので、このナット３４と一体となって片寄せされている３群鏡筒３１は、光軸方向に移動することになる。
【００５０】
また、この撮像装置では、３群鏡筒３１の絶対位置をフォトインタラプタ６３と、パルスモータで構成したフォーカスモータ３６とを利用して算出する。このため撮像装置では、３群鏡筒３１のリセット位置を鏡筒ＦＰＣ６４の図面裏面側に実装されているフォトインタラプタ６３によって検出する。そして、この撮像装置では、検出したリセット位置を基準位置としてフォーカスモータ３６の駆動パルスをカウントして相対位置を演算することによって絶対位置を算出する。
【００５１】
次に、この撮像装置のレンズ鏡筒部分における２群鏡筒２０の構成について図２、図４、図５を用いて説明する。図２は、本発明の第１実施の形態に係わる２群鏡筒２０の物体側（被写体側）部分を取り出して示す分解斜視図である。
【００５２】
２群鏡筒２０は、前述のように振れ補正、シャッタ、絞りの各機構を有する。２群鏡筒２０は、２群鏡筒の基台である２群ベース１５１に各部品を組み付けて構成する。
【００５３】
この２群ベース１５１の物体側（被写体側）には、フォーカス送りネジ３３及びフォーカスガイドバー３２の逃げ形状１５２を形成する。
【００５４】
この撮像装置のレンズ鏡筒部分は、非使用時に各レンズ群鏡筒の間隔を短縮して小型化を図る（以降この状態を沈胴状態と称する）。この沈胴状態では、フォーカス送りネジとフォーカスガイドバーが光軸方向に突出するため沈胴時に２群ベース１５１を貫通してしまう。このときレンズを通過しない光線が貫通部を通過してＣＣＤに入射して光線漏れを起こすことを防止するため、２群ベース１５１の逃げ形状１５１のように袋形状を形成して、光線漏れを抑制するように構成している。
【００５５】
この２群ベース１５１に取り付けられる、撮影光学系の一部を構成する変位光学部材である２群レンズ群２を保持する２群レンズホルダ１５３には、２群レンズ群がかしめにより取り付けられている。この２群レンズホルダ１５３には、マグネット１５４及び１５５が一体的に保持されている。
【００５６】
図３は、本発明の第１実施の形態に係わる２群鏡筒２０におけるセンサホルダ、２群ＦＰＣ、２群カバーを外した状態を被写体側から見たところを示す正面図である。図２及び図３に示すように、２群レンズホルダ１５３には、３箇所のフック１５６があり引張りスプリング１５７が掛けられている。２群レンズホルダ１５３には、３箇所のフック１５６があり引張りスプリング１５７が掛けられている。この２群ベース１５１の窪みには、２群レンズホルダ１５３を光軸に対して変位させるよう駆動する変位光学部材駆動手段としてのコイルとボビンからなるコイルユニット１５８及び１５９が接着固定されている。
コイルへの給電は、ボビンに植設されコイルと電気的に接続されたピン状の金属スタッド（変位光学部材駆動手段用スタッド）１６０及び１６１に、接続された後述する２群ＦＰＣを介して行なわれる。
【００５７】
この２群レンズホルダ１５３は、２群ベース１５１に対して光軸に垂直な平面内で自由に移動することが可能に装着する。このため、２群ベース１５１と２群レンズホルダ１５３との間には、非磁性材製の３個のボール１６２を挟み込んで２群レンズホルダ１５３を移動自在に支受する。これと共に、２群レンズホルダ１５３のフック１５６と、２群ベース１５１の不図示のフックとの間に引張コイルばねであるスプリング１５７を張架する。
【００５８】
これによって、２群レンズホルダ１５３には、ボール１６２を介して２群ベース１５１に押し付けられる付勢力が働く。これによって、２群レンズホルダ１５３が２群ベース１５１に対して３個のボール１６２によって移動自在に支受された状態を保持する。
【００５９】
このように構成した撮像装置のレンズ鏡筒部分では、光軸に垂直な平面内で移動自在に支受された２群レンズホルダ１５３を移動調整することによって、ＣＣＤ上の像を制御して振れ補正を行なう。
【００６０】
次に、２群レンズホルダ１５３が装着された２群ベース１５１には、光量規制駆動源である２つのアクチュエータ１６３、１６４と、フレキシブル基板である２群ＦＰＣ１６５が固定されたセンサホルダ１６９とを取り付ける。
【００６１】
この光量規制駆動源としての一方のアクチュエータ１６３は、シャッタ羽根を駆動するシャッタクチュエータである。また、光量規制駆動源としての他方のアクチュエータ１６４は、ＮＤフィルタを駆動するＮＤフィルタクチュエータである。これらは、共に通電方向の正逆転によってアームの停止位置が切り替わるように構成された所謂２点切り替え方式のアクチュエータである。
【００６２】
２群ＦＰＣ１６５は、弾性変形可能な平板状であるシート状部材として構成された電力を供給するフレキシブルプリント基板であり、湾曲形状（略半円弧形状）に形成されている。
【００６３】
この２群ＦＰＣ１６５の両自由端部には、アクチュエータ１６３とアクチュエータ１６４とがそれぞれ半田付けされて一体的に取り付けられている。
【００６４】
また、２群ＦＰＣ１６５における両アクチュエータ１６３、１６４の中間部に当たる所定位置には、ランド１６６を配置する。このランド１６６には、各コイルユニット１５８、１５９から棒状に延出する金属スタッド（コイルスタッド）（変位光学部材駆動手段用スタッド）１６０、１６１を、２群ＦＰＣ１６５の平面と交差する状態（ここでは直交する状態）で半田ろう付けする。これにより各コイルユニット１５８、１５９は、２群ＦＰＣ１６５の給電駆動用の電気回路に、電気的に接続される。
【００６５】
さらに、２群ＦＰＣ１６５の裏面側には、２群レンズホルダ１５３のマグネット１５４、１５５にそれぞれ対応した位置に、磁界を検出するホール素子１６７と１６８とを実装する。
【００６６】
なお、この２群ＦＰＣ１６５では、フレキシブルプリント基板のパターン幅の細密化や曲げ弾性が弱いフィルム材料を採用する等して、フレキシブルプリント基板を１枚に集約する構成としている。すなわち、２群ＦＰＣ１６５は、別体となっていた従来の振れ補正機構のフレキシブルプリント基板及びシャッタ及びＮＤアクチュエータのフレキシブルプリント基板を、１枚に構成したものである。
【００６７】
センサホルダ１６９は、剛性材製で、全体が２群ＦＰＣ１６５と重なるように略同形に湾曲した板の形状（略半円弧の板形状）の部材に形成されている。
【００６８】
撮像装置のレンズ鏡筒部分では、２群レンズホルダ１５３の移動状態を、ホール素子（振れ補正機構用の検出部品）１６７、１６８とマグネット１５４、１５５とを利用して検出する。このため、２群レンズホルダ１５３の所定位置に配置した各マグネット１５４、１５５は、図３に示すような方向に着磁しておく。そして撮像装置では、図３のＡ方向及びＢ方向への移動を、各々対応するホール素子１６７、１６８が磁界の変化として検出し、その変化量に基づいて２群レンズホルダ１５３の移動量を算出している。
【００６９】
このようにして２群レンズホルダ１５３の移動量を検出する構成では、２群レンズホルダ１５３のマグネット１５４、１５５と、各々対応するホール素子１６７、１６８との位置精度が重要となる。
【００７０】
そこで、この撮像装置では、剛性材製のセンサホルダ１６９の開口内における各マグネット１５４、１５５に正確に対応した位置に、それぞれ各ホール素子を位置決め保持するための圧入部１６９ａを設ける。この圧入部１６９ａは、各々対応するホール素子１６７、１６８を、二つの爪部材の間に挟み込んで所定位置に位置決め保持可能に構成する。なお、この圧入部１６９ａは、ホール素子１６７、１６８を位置決め保持可能であれば、種々の構成の位置決め保持手段を採り得ることは勿論である。
【００７１】
そして、この撮像装置では、各ホール素子１６７、１６８を、それぞれ対応する圧入部１６９ａに圧入した状態で２群ベース１５１に組み付けることにより精度良く位置決めされるように構成されている。
【００７２】
このため、２群ＦＰＣ１６５を２群ベース１５１に取り付ける場合には、２群ＦＰＣ１６５を剛体（剛性が高い部材）であるセンサホルダ１６９上に取り付けた状態で２群ベース１５１の所定位置に位置決めして載置する。なお、図示しないが、センサホルダ１６９には位置決め用の穴と長穴を設け、これらに２群ベース１５１上に設けられた位置決め突起をそれぞれ嵌合することによって精度良く位置決めできるように構成する。このようにして２群ベース１５１上に位置決めされた状態の２群ＦＰＣ１６５の上には、２群カバー１７０を被せるように置く。
【００７３】
そして、２群カバー１７０をビス１７１及び外周フックで２群ベース１５１に固定することにより、センサホルダ１６９、アクチュエータ１６３，１６４が２群ベース１５１の物体側（被写体側）の適正位置に取り付けられる。なお、このときアクチュエータ１６３，１６４は、センサホルダ１６９に対して取り付け作業のための略使用状態に近い姿勢で、若干移動可能に仮留めされた状態にある。このため、アクチュエータ１６３、１６４は、２群カバー１７０に押されて、位置決め用ダボ１７９、１８０と外形とによって適正位置に移動して位置決めされ、固定される。
【００７４】
次に、２群鏡筒２０のＣＣＤ（Ｃｈａｒｇｅ  Ｃｏｕｐｌｅｄ  Ｄｅｖｉｃｅ）側に、シャッタ及びＮＤフィルタを取り付ける部分について図４により説明する。図４は、本発明の第１実施の形態に係わる２群鏡筒２０のＣＣＤ側に係わる部分を取り出して示す分解斜視図である。
【００７５】
この２群鏡筒２０のＣＣＤ側には、第１の光量規制手段であるシャッタ羽根１７２、１７３を装着する。シャッタ羽根１７２、１７３は、第１の光量規制駆動源であるシャッタクチュエータ１６３の駆動アームに操作されて開閉駆動される。
【００７６】
この２群鏡筒２０には、シャッタ羽根１７２、１７３の外側に仕切り板１７４を取り付ける。
【００７７】
また、２群鏡筒２０の仕切り板１７４の外側には、第２の光量規制手段である光量を制限するＮＤフィルタ１７５を装着する。ＮＤフィルタ１７５は、第２の光量規制駆動源であるアクチュエータ１６４によって駆動されて、光路中への進入動作と退避動作とを行う。
【００７８】
２群鏡筒２０のＮＤフィルタ１７５の外側には、シャッタ羽根１７２、１７３及びＮＤフィルタ１７５を保護するためのシャッタカバー１７６を、図示しないフックで固定して取り付ける。
【００７９】
次に、上述のように構成された２群鏡筒２０の組み立て性について説明する。
このような２群鏡筒２０を組み立てるときは、組み立てが煩雑な振れ補正機構を先に組み込み、その後でシャッタ及びＮＤフィルタを組み込む。２群鏡筒２０をこのような手順で組み立てる場合には、作業性を向上することができる。
【００８０】
次に、２群鏡筒２０における振れ補正機構の組み付け工程について説明する。この振れ補正機構の組み付け工程では、図５に示すように、１枚化された２群ＦＰＣ１６５及び２つのアクチュエータ１６３、１６４をリジッドなセンサホルダ１６９に一体的に取り付けた状態で、２群ベース１５１に取り付ける。
【００８１】
すなわち、２群ベース１５１は、２群ＦＰＣ１６５、２つのアクチュエータ１６３、１６４及びセンサホルダ１６９が一体的に組み付けられるようユニット化可能に構成されている。そして、これらがユニット化されて全体が剛性の高いＦＰＣユニットとなったものは、まとめて１工程の組み込み作業で２群ベース１５１に組み付けられる。よって、この２群鏡筒２０では、アクチュエータ１６３及び１６４が２群ベース１５１に正対するので、組み込み性が向上する。また、センサホルダ１６９と２群ＦＰＣ１６５とアクチュエータ１６３及び１６４を一体のＦＰＣユニットとすることで、組み込みの工数を減らすことができる。
【００８２】
なお、センサホルダ１６９は、２群ＦＰＣ１６５に取り付けられた２つのアクチュエータ１６３、１６４を一体的に仮留めしてユニット化したものを２群ベース１５１に組み付ける作業に、利用される。よって、センサホルダ１６９は、組み付け作業時にセンサホルダ１６９が弾性変形して仮留めしている２つのアクチュエータ１６３、１６４の位置が変動しない程度の剛性を持つ部材として構成する。これにより作業者は、剛体（剛性が高い部材）であるセンサホルダ１６９により一体化された部品ユニットを容易に２群ベース１５１に組み付ける作業ができる。
【００８３】
また例えば、従来のように、振れ補正機構のフレキシブルプリント基板と、シャッタ及びＮＤアクチュエータのフレキシブルプリント基板とが別体である場合の組み付け作業と比較して、作業効率を向上できる。これは、２枚の可撓性部品であるフレキシブルプリント基板を、それぞれ２群ベース１５１に取り付けるという繁雑な作業を、削減できるためである。
【００８４】
次に、２群ＦＰＣ１６５と、２つのアクチュエータ１６３、１６４と、センサホルダ１６９とを一体化し、これらを２群ベース１５１に組み込む作業を容易にするための構成について図６により説明する。
【００８５】
図６は、本発明の第１実施の形態に係わる２群ＦＰＣ１６５、センサホルダ１６９、アクチュエータ１６３及び１６４が一体となったＦＰＣユニット部分を取り出して示す正面図である。また、図９は前記ＦＰＣユニット部分の２群ＦＰＣ１６５、センサホルダ１６９、アクチュエータ１６４の位置関係を拡大して示す斜視図である。
【００８６】
このセンサホルダ１６９は、全体が略馬蹄形状に形成されている。センサホルダ１６９には、その両端部に、それぞれ仮留め手段である制限突起１７７、１７８を設ける。すなわち、制限突起１７７は、センサホルダ１６９の一方の端部と、これに対向する一方のアクチュエータ１６３との間位置に配置する。また、制限突起１７８は、センサホルダ１６９の他方の端部と、これに対向する他方のアクチュエータ１６４との間位置に配置する。これら制限突起１７７、１７８は、弾性的に屈曲した状態の２群ＦＰＣ１６５を挟み込んで２群ＦＰＣ１６５を略使用状態の姿勢で支持するように構成する。
【００８７】
これら制限突起１７７、１７８は、センサホルダ１６９の両端部の内周面側角部から略鉤形に突出し、センサホルダ１６９の自由端辺との間でＵ字状の溝を形成する。これにより、これら制限突起１７７、１７８は、センサホルダ１６９の自由端辺との間で所定間隔を開けたスリットを作り、このスリットに略直角に折り曲げた２群ＦＰＣ１６５の自由端部側を挟み込むように構成する。
【００８８】
すなわち、これら制限突起１７７、１７８は、２群ＦＰＣ１６５のアクチュエータ１６３との接続部付近において、２群ＦＰＣ１６５を弾性的に屈曲するように挟み込んで支持するように構成する。これら制限突起１７７、１７８は、２群ＦＰＣ１６５を約９０度曲がる姿勢（使用状態に近い姿勢）に保持する。
【００８９】
このように構成した場合には、２群ＦＰＣ１６５の屈曲角度を制限するための形状をアクチュエータに設ける必要が無くなる。また、これら制限突起１７７、１７８は、アクチュエータ１６３、１６４と、２群ＦＰＣ１６５との間の本来使われていない空間に配置されるので、機構の小型化を阻害しない。
【００９０】
次に、２群ベース１５１に対して、各アクチュエータ１６３、１６４の位置を決定するための構成について、図７により説明する。
【００９１】
図７は、２群ＦＰＣ１６５、センサホルダ１６９、アクチュエータ１６３及び１６４が一体となったＦＰＣユニット部分を取り出し、裏側から見た所を示す斜視図である。
【００９２】
図示するように、各アクチュエータ１６３、１６４の底面の所定位置には、それぞれ対応するダボ１７９、１８０を突設する。これらダボ１７９、１８０は、図示しないが、それぞれ対応する２群ベース１５１の位置決め用の穴に挿入されることにより、２群ベース１５１に対してアクチュエータ１６３の位置が決定されるように構成する。
【００９３】
アクチュエータ１６３、１６４は、これらのダボ１７９、１８０とアクチュエータの外形によって、それぞれ２群ベース１５１に対して位置決めされる。すなわち、アクチュエータ１６３、１６４は、位置決め用ダボ１７９、１８０と、各アクチュエータ１６３、１６４の外周面に当接するよう２群ベース１５１に形成された位置決めガイドとによって、所定位置に位置決め保持される。
【００９４】
このとき、アクチュエータ１６３及び１６４は、制限突起１７７、１７８が２群ＦＰＣ１６５の元の平面に戻ろうとする復元力を受け止めることにより、略使用状態の姿勢を維持することになる。よって、アクチュエータ１６３及び１６４は、２群ベース１５１に正対することができ、アクチュエータの組み込み作業を容易にできる。なお、制限突起１７７、１７８が無い場合には、２群ＦＰＣ１６５の弾性力に抗して折り曲げて二つのアクチュエータ１６３及び１６４を取り付け姿勢に維持しながら組み込み作業を行わなければならず、作業が煩雑になる。
【００９５】
また、センサホルダ１６９と２群ＦＰＣ１６５とアクチュエータ１６３及び１６４を一体のユニットとすることで、組み込みの工数を減らすことができる。なお、本実施例で、２群ＦＰＣ１６５を一例として約直角に屈曲（約９０度屈曲）させているが、屈曲させる角度は、これに限定されるものではない。
【００９６】
〔第２実施の形態〕
次に、本発明の第２実施の形態について、図８を参照しながら説明する。図８は、本第２実施の形態に係わるＦＰＣユニット部分を取り出して示す斜視図である。なお、図８では、前述した図１乃至図７に記載したものと同一の部材には同一の符号を付すこととして、その詳細な説明を省略する。
【００９７】
本第２実施の形態では、２群ＦＰＣ１６５を屈曲させること無く、アクチュエータ１６３、１６４とセンサホルダ１６９との相対的な位置関係が一定となるように制限させるよう構成する。
【００９８】
このため、２群ＦＰＣ１６５は、センサホルダ１６９の平面上に平面的に配置された状態が使用状態となるように構成する。なお、本第２実施の形態では、２群ＦＰＣ１６５の代わりに剛性材製のリジッドな平板プリント基板（回路基板）を用いて構成してもよい。
【００９９】
これと共に、アクチュエータ１６３、１６４には、それぞれ使用時の状態で、各コイルユニット１５８、１５９の金属スタッド１６０、１６１の延長方向と同方向となるように延出する金属スタッド１８１、１８２を植設する。この金属スタッド（第１の光量規制駆動源用スタッド）１８２は、図示しないが、アクチュエータ１６３のコイルと接続されている。また、金属スタッド（第２の光量規制駆動源用スタッド）１８２は、図示しないが、アクチュエータ１６４のコイルと接続されている。
【０１００】
これらアクチュエータ１６３、１６４の金属スタッド１８１、１８２は、それぞれ２群ＦＰＣ１６５の各所定接続箇所に半田ろう付けにより電気的に接続する。
【０１０１】
本第２実施の形態では、前述のように、アクチュエータ１６３、１６４の金属スタッド１８１、１８２と、コイルユニット１５８、１５９の金属スタッド１６０、１６１との延長方向が同じ方向となるように構成する。よって、２群ＦＰＣ１６５は、屈曲させる必要が無く、２群ＦＰＣ１６５上に平面的に配置することが可能となっている。
【０１０２】
また、本第２実施の形態では、センサホルダ１６９上に、２つのアクチュエータ１６３、１６４が接続された状態の２群ＦＰＣ１６５を平面的に載置して一体的に仮留め保持する仮留め手段である制限フック１８３、１８４を設ける。
【０１０３】
制限フック１８３、１８４は、センサホルダ１６９における２群ＦＰＣ１６５のアクチュエータ１６３との接続部付近で内周側に当たる所定位置から鉤状に突設されている。この制限フック１８３、１８４は、その自由端部が２群ＦＰＣ１６５をセンサホルダ１６９の平面に挟み付けるようにして、２群ＦＰＣ１６５とセンサホルダ１６９とを一体化した状態に保持する。
【０１０４】
このように構成した本第２実施の形態のＦＰＣユニットでは、２群ＦＰＣ１６５が平面を保ってセンサホルダ１６９に取り付けられるので、２群ＦＰＣ１６５の弾性復帰力が働くことが無い。これにより、ＦＰＣユニットのアクチュエータ１６３、１６４では、２群ＦＰＣ１６５の可撓性によってセンサホルダ１６９との相対位置が不安定になることがない。
【０１０５】
このため、ＦＰＣユニットを２群ベース１５１に組み込むときには、アクチュエータ１６３、１６４が２群ベース１５１に使用状態で正対するので組み込み作業を容易かつ迅速に行えるため、作業能率を向上させることができる。また、センサホルダ１６９と２群ＦＰＣ１６５とアクチュエータ１６３、１６４とを一体のＦＰＣユニットとすることで、一工程で組み付けられるようにして組み込みの工数を減らすことができる。
【０１０６】
なお、本第２実施の形態における以上説明した以外の構成、作用及び効果は、前述した第１実施の形態と同様であるので、その説明を省略する。
【図面の簡単な説明】
【０１０７】
【図１】本発明の第１実施の形態に係わる撮像装置における要部となるレンズ鏡筒部分の部品を示す分解斜視図である。
【図２】本発明の第１実施の形態に係わる２群鏡筒の物体側（被写体側）部分を取り出して示す分解斜視図である。
【図３】本発明の第１実施の形態に係わる２群鏡筒におけるセンサホルダ、２群ＦＰＣ、２群カバーを外した状態を被写体側から見たところを示す正面図である。
【図４】本発明の第１実施の形態に係わる２群鏡筒のＣＣＤ側に係わる部分を取り出して示す分解斜視図である。
【図５】本発明の第１実施の形態に係わる振れ補正機構の組み立て工程の１つを示す分解斜視図である。
【図６】本発明の第１実施の形態に係わる２群ＦＰＣ、センサホルダ及びアクチュエータが一体となったＦＰＣユニット部分を取り出して示す正面図である。
【図７】本発明の第１実施の形態に係わる２群ＦＰＣ、センサホルダ及びアクチュエータが一体となったＦＰＣユニット部分を取り出し、裏側から見た所を示す斜視図である。
【図８】本発明の第２実施の形態に係わるＦＰＣユニット部分を取り出して示す斜視図である。
【図９】本発明の第１実施の形態に係わるＦＰＣユニット部分の２群ＦＰＣ、センサホルダ、アクチュエータの位置関係を拡大して示す斜視図である。
【符号の説明】
【０１０８】
１  １群レンズ
２  ２群レンズ
３  ３群レンズ
２０  ２群鏡筒
１５１  ベース
１５８  コイルユニット
１５９  コイルユニット
１６０  金属スタッド
１６１  金属スタッド
１６３  アクチュエータ
１６４  アクチュエータ
１６５  ２群ＦＰＣ
１６６  ランド
１６９  センサホルダ
【図１】
0004931249.tif 000002
【図２】
0004931249.tif 000003
【図３】
0004931249.tif 000004
【図４】
0004931249.tif 000005
【図５】
0004931249.tif 000006
【図６】
0004931249.tif 000007
【図７】
0004931249.tif 000008
【図８】
0004931249.tif 000009
【図９】
0004931249.tif 000010